(57)【特許請求の範囲】
【請求項１】
本体ケース（１）に肌用電極（２）とグリップ電極（３）とが設けられており、肌用電極（２）とグリップ電極（３）とで肌面に電流を供給する美容器具であって、
肌用電極（２）が、美容用液を含浸する綿棒（１５）と、綿棒（１５）を保持するホルダー（１６）とで構成されており、
本体ケース（１）は、肌用電極（２）を有するヘッド部（４）を含み、
ヘッド部（４）には、ヘッド部（４）の軸に沿い、綿棒（１５）の軸部（１７）を受け入れる挿通穴（１９）が形成されており、
挿通穴（１９）の入口部は、傾斜面（２２）を有する綿球用穴（２０）となっており、
綿球用穴（２０）の傾斜面（２２）は、挿通穴（１９）の内奥部に向かって先すぼまり状に形成してあり、
ホルダー（１６）は、綿棒（１５）の軸部（１７）を受け入れる挿通穴（１９）と、挿通穴（１９）の入口に設けられ、綿棒（１５）の綿球部（１８）の周面と接触して、電流を綿球部（１８）へ供給する接触端子（２４）とを含み、
接触端子（２４）は、綿棒（１５）の軸部（１７）を保持する軸保持部（２３）と、電流を綿球部（１８）へ供給する端子部（２９）とを含み、
端子部（２９）は、綿球用穴（２０）に形成した傾斜面（２２）と同じ傾斜となっており、この傾斜面（２２）で端子部（２９）が支持されていることを特徴とする美容器具。
【請求項２】
綿棒（１５）の軸部（１７）を保持する軸保持部（２３）と電流を綿球部（１８）へ供給する端子部（２９）とが一体に形成されている請求項１に記載の美容器具。
【発明の詳細な説明】
【技術分野】
【０００１】
本発明は、小鼻の周り、唇などの微細な汚れを落とし、あるいは保湿成分を浸透させて美容効果を高めるための美容器具に関する。
【背景技術】
【０００２】
本発明に係る美容器具に関して、たとえば特許文献１の美容器具が公知である。そこでは、グリップを兼ねる縦長の本体ケースと、本体ケースの前面上部に設けられる肌用電極と、肌用電極の外面に被せ付けた含液シートを押え保持するシートホルダーなどで美容器具を構成している。本体ケースの背面には、電源投入ボタンや、電流の強弱を調整する切り換えボタンなどが設けてある。また、本体ケースの左右両側にはグリップ電極が露出させてある。肌用電極は裁頭円錐台状の突起からなり、その表面の接触面が、イオン導入・導出時の他方の電極を兼ねている。使用時には、肌用電極の外面に化粧水を含浸させた含液シートを被せ付け、シートホルダーでずれ動き不能に保持固定したのち、グリップ電極を握った状態で肌用電極を肌面に沿って摺動させる。
【先行技術文献】
【特許文献】
【０００３】
【特許文献１】特開２００９−１７２２４０号公報（段落番号００６０、図５）
【発明の概要】
【発明が解決しようとする課題】
【０００４】
特許文献１の美容器具によれば、イオン導入・導出作用によって、顔肌などの微細な汚れを落とし、あるいは保湿成分を肌に浸透させて美容効果を高めることができる。しかし、肌用電極は面積が大きく、小鼻の周りなどの入り隅状の肌面の細かな部分の手入れは行き届きにくい。
【０００５】
本発明の目的は、入り隅状の肌面、目尻、唇などの細かな部分の美容処理を的確に行なうことができる美容器具を提供することにある。
【課題を解決するための手段】
【０００６】
本発明に係る美容器具は、図１に示すように、本体ケース１に肌用電極２とグリップ電極３とが設けられており、肌用電極２とグリップ電極３とで肌面に電流を供給する美容器具であって、肌用電極２が、美容用液を含浸する綿棒１５と、綿棒１５を保持するホルダー１６とで構成されており、ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでいる。
【０００７】
接触端子２４は、挿通穴１９に対して傾斜する傾斜内面２４ａを有しており、傾斜内面２９ａは、ホルダー１６に装着された綿棒１５の綿球部１８の周面と面接触している。
【０００８】
挿通穴１９の入口に、傾斜面２２を有する綿球用穴２０が設けられており、綿球用穴２０に、傾斜内面２９ａを有する接触端子２４が配設されている。
【０００９】
接触端子２４に、綿棒１５の軸部１７を保持する軸保持部２３が一体に形成されている。
【００１０】
接触端子２４は、筒状のベース部４０と、ベース部４０の一端に形成される先鋭突起５６とを含み、先鋭突起５６の突端５６ａが、ホルダー１６に装着された綿棒１５の綿球部１８の周面に沈み込んだ状態で綿球部１８と接触している。
【００１１】
先鋭突起５６が、針状の穿刺体４２で構成されており、穿刺体４２が、ホルダー１６に装着された綿棒１５の綿球部１８の周面に突き刺さった状態で綿球部１８と接触している。
【発明の効果】
【００１２】
本発明においては、本体ケース１に肌用電極２とグリップ電極３とが設けられており、肌用電極２とグリップ電極３とで肌面に電流を供給する美容器具であって、肌用電極２が、美容用液を含浸する綿棒１５と、綿棒１５を保持するホルダー１６とで構成されており、ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでいる。このように、美容用液を含浸する綿棒１５と、綿棒１５を保持するホルダー１６とで肌用電極２を構成すると、美容用液が含浸された綿球部１８を肌面に接触して美容処理を行なえる。従って、小鼻周りの入り隅状の肌面、目尻、唇などにおいて、体積が小さな綿棒１５を緻密に操作して、美容処理を的確に行なうことができる。美容用液を含浸するための含液体として綿棒１５を利用するので、シート状の含液体を棒状に丸めて美容用液を含浸させる場合に比べて、含液体を所定の形状に整形する手間を省くことができる。さらに、肌用電極２に対する装着を簡便に行えるので、美容器具の使い勝手を向上できる。
【００１３】
また、接触端子２４は、挿通穴１９に対して傾斜する傾斜内面２４ａを有しており、傾斜内面２４ａは、ホルダー１６に装着された綿棒１５の綿球部１８の周面と接触している。このように、傾斜内面２４ａに綿球部１８を接触させることにより、両者の接触面積を増大でき、電気抵抗を小さくすることができるため、効果的に肌に電流を供給することができる。また、傾斜内面２９ａは、綿棒１５をホルダー１６に差し込み装着する際の、差し込み案内体として機能する。
【００１４】
また、挿通穴１９の入口に、傾斜面２２を有する綿球用穴２０が設けられており、綿球用穴２０に、傾斜内面２９ａを有する接触端子２４が配設されている。このように、傾斜面２２を有する綿球用穴２０に接触端子２４が配設されていれば、接触端子２４が傾斜面２２を有する綿球用穴２０に沿って固定されるため、接触端子２４の支持が安定する。ひいては接触端子２４と綿球部１８との接触が安定する。これは、接触端子２４が傾斜する板状体の場合、すり鉢状の筒状体の場合、どちらも当てはまることである。また、綿球用穴２０の全周が傾斜面２２を有する構造、すなわち、綿球用穴２０が、挿通穴１９の奥に向かって先すぼまり状のすり鉢状に形成されていれば、接触端子２４が帯状の場合は、綿球用穴２０が綿球部１８の収まりについてよく貢献し、接触端子２４がすり鉢状の筒体の場合は、接触端子２４の支持についてよく貢献する。何れにしても、接触端子２４と綿球部１８との接触が安定する。
【００１５】
接触端子２４に、綿棒１５の軸部１７を保持する軸保持部２３が一体に形成されていることにより、ホルダー１６の構造が複雑化するのを解消して、その加工に要する手間を省いてコストを削減できる。
【００１６】
接触端子２４は、筒状のベース部４０と、ベース部４０の一端に形成される先鋭突起５６とを含み、先鋭突起５６の突端５６ａが、ホルダー１６に装着された綿棒１５の綿球部１８の周面に沈み込んだ状態で綿球部１８と接触している。このように、先鋭突起５６の突端５６ａが、ホルダー１６に装着された綿棒１５の綿球部１８の周面に沈み込んだ状態で綿球部１８と接触していれば、挿通穴１９に対して綿棒１５をより深く挿入できるため、先鋭突起５６の突端５６ａと綿球部１８の頂部との距離を近づけることができ、効果的に肌に電流を供給することができる。先鋭突起５６の突端５６ａと綿球部１８の頂部との距離が近づくことによって、効果的に肌に電流を供給することができる。また、先鋭突起５６の突端５６ａが綿球部１８の周面に沈み込めば、両者の接触面積が増大し、電気抵抗を小さくすることができる。
【００１７】
先鋭突起５６が、針状の穿刺体４２で構成されており、穿刺体４２が、ホルダー１６に装着された綿棒１５の綿球部１８の周面に突き刺さった状態で綿球部１８と接触している。このように、穿刺体４２が、ホルダー１６に装着された綿棒１５の綿球部１８の周面に突き刺さった状態で綿球部１８と接触していれば、綿球部１８に突き刺さる穿刺体４２によって電流を綿球部１８に供給でき、綿球部１８に対する通電効率をさらに向上できる。また、綿球部１８に突き刺さる穿刺体４２で綿棒１５を傾動不能に保持できるので、肌面から押付け反力を受けるような場合であっても、綿棒１５をより安定した状態で保持して美容処理を的確に行なえる。なお、肌用電極２を構成する綿棒１５は、軸部の両端に綿球部が形成してある市販の綿棒の軸部を切断して形成することができる。
【図面の簡単な説明】
【００１８】
【図１】本発明に係る美容器具のヘッド部の構造を示す縦断側面図である。
【図２】キャップを分離した状態の美容器具の側面図である。
【図３】各電極と基板の接続状態を示す説明図である。
【図４】図１におけるＡ−Ａ線断面図である。
【図５】美容器具の使用例を示す説明図である。
【図６】別の実施例に係る美容器具の縦断側面図である。
【図７】ホルダーの別の実施例を示す縦断側面図である。
【図８】ホルダーのさらに別の実施例を示す縦断側面図である。
【図９】ホルダーのさらに別の実施例を示す縦断側面図である。
【図１０】ホルダーのさらに別の実施例を示す縦断側面図である。
【図１１】ホルダーのさらに別の実施例を示す縦断側面図である。
【図１２】ホルダーのさらに別の実施例を示す縦断側面図である。
【図１３】ホルダーのさらに別の実施例を示す縦断側面図である。
【図１４】図１３に示すヘッド部の平面図である。
【図１５】ホルダーのさらに別の実施例を示す縦断側面図である。
【図１６】ホルダーのさらに別の実施例を示す縦断側面図である。
【図１７】ホルダーのさらに別の実施例を示す縦断側面図である。
【図１８】ホルダーのさらに別の実施例を示す縦断側面図である。
【発明を実施するための形態】
【００１９】
（実施例１）  図１ないし図５は本発明に係る美容器具の実施例を示す。本発明における前後・左右・上下とは、図２に示す交差矢印と、矢印の近傍に表示した前後・左右・上下の表記に従う。図２において美容器具は、グリップを兼ねる本体ケース１を基体にして上下に長い棒状（ペンシル状）に形成してある。本体ケース１の上端には肌用電極２が設けてあり、その下部に肌用電極２の周囲を囲むグリップ電極３が無端リング状に設けてある。
【００２０】
肌用電極２とグリップ電極３が設けられるヘッド部４の外面は、保護キャップ５で覆われている。保護キャップ５の装着姿勢を保持するために、ヘッド部４の基端の周面に係合リブ６を設け、保護キャップ５の内面の開口寄りに係合リブ６と係合する溝７を周回状に形成している。図３に示すように、本体ケース１の内部には、電池８と制御基板９が収容してあり、制御基板９には、ケース前面のスイッチノブ１０で切換え操作されるスイッチ１１や、肌通電用の制御回路などが実装してある。符号１２は電池５を出入りするためのキャップであり、本体ケース１に対してねじ込み装着してある。
【００２１】
肌用電極２は、美容用液を含浸する綿棒（含液体）１５と、綿棒１５を固定保持するホルダー１６とからなる。綿棒１５は、軸部１７の一端に綿球部１８を備えており、綿球部１８に美容用液を含浸することができる。綿球部１８は、軸部１７の端部に綿を幾重にも巻き付けて球状に形成したものであるが、合成繊維を巻き付けて球状に形成したものであってもよい。軸部１７は紙製が好ましいが、プラスチック製、或いは金属製であってもよい。綿球部１８は、丸い球体形、水滴形、或いは先の尖った紡錘形など様々な形が適用できる。ヘッド部４の上端には、ヘッド部４の軸に沿い、綿棒１５の軸部１７を受け入れる挿通穴１９が形成されており、挿通穴１９の入口部は、傾斜面２２を有する綿球用穴２０となっている。綿球用穴２０は、綿球部１８の下側の周面を支持する。また、挿通穴１９は、接触端子２４を収容している。接触端子２４は、挿通穴１９と綿球用穴２０の両者にわたって組付けてある。綿球用穴２０は、綿球部１８の下面形状に対応して、挿通穴１９の内奥部に向かって先すぼまり状に形成してある。ここでの、先すぼまり状とは、綿球用穴２０の内壁の径が徐々に小さくなる断面円形或いは多角形の壁形状を意味する。ホルダー１６は、綿棒１５の軸部１７を受け入れる挿通穴１９と、少なくとも挿通穴１９の入口部に設けられ綿棒１５の綿球部１８の周面と接触して電流を綿球部１８へ供給する接触端子２４と、挿通穴１９の内奥部に設けられる軸保持部２３とを含んでいる。  
【００２２】
綿棒１５は、本美容器具専用のものを付属品として付加してもよいが、図２に想像線で示すように、綿棒１５は軸部の両端に綿球部が形成してある市販の綿棒の軸部をユーザーが切断して形成することができる。切断された綿棒１５の上下長さを適正化するために、保護キャップ５の周面に周回溝からなる切断表示２１を設けている。ユーザーは、市販の綿棒の綿球部を保護キャップ５の上端面と面一にした状態で、軸部を切断表示２１の位置で切断することにより、肌用電極２を構成する綿棒１５を手軽に得ることができる。
【００２３】
接触端子２４は、帯状の金属板をＵ字状に折り曲げて形成してあり、綿棒１５の軸部１７を保持する下半側の軸保持部２３と、軸保持部２３の一方の壁に連続して斜めに折曲げられる端子部２９とを一体に備えている。金属板は銅、ニッケル、ステンレスなどの材質から構成できる。軸保持部２３を構成するＵ字壁の対向面には、受止め部２５と押圧部２６とが膨出形成してあり、これら両者２５・２６が協同して軸部１７を挟持固定する。軸部１７を確実に挟持固定するために、自由状態における受止め部２５と押圧部２６との対向間隔は、軸部１７の直径寸法より小さく設定してある。押圧部２６は基本的に半円状に形成するが、その端部側の壁面を緩やかな湾曲面で形成して装填案内面２７としている。軸部１７を軸保持部２３に差し込み装填するとき、軸部１７の下端を装填案内面２７で案内することにより、押圧部２６側の壁面を弾性変形させながら、軸部１７を受止め部２５と押圧部２６との間に差込むことができる。接触端子２４は、弾性変形可能な導電材を素材にして形成しているが、導電材としては、金属、導電性プラスチック、導電性ゴムなどを適用できる。また、接触端子２４は、ＡＢＳなどのプラスチックの表面に酸化クロムなどの金属を積層したものであってもよい。
【００２４】
接触端子２４の端子部２９は、肌通電用の制御回路から出力される電流を綿球部１８へ供給するために設けてある。接触端子２４の端子部２９から綿球部１８への電流の供給を確実かつ効率的に行うために、接触端子２４の端子部２９を斜めに折り曲げ、その内面に傾斜内面２９ａを形成している。また、端子部２９は先の綿球用穴２０に凹み形成した端子部２９と同じ傾斜角度の溝２８に嵌め込まれている。これにより、接触端子２４の端子部２９は綿球用穴２０と面一になっており、綿棒１５をホルダー１６に装填した状態では、綿球部１８の下周面の傾斜面１８ａが接触端子２４の端子部２９の傾斜内面２９ａに沿い、広い範囲で面接触する。つまり、接触端子２４は、ヘッド部４の軸方向に開けられた挿通穴１９に対して傾斜する傾斜内面２９ａを有しており、傾斜内面２９ａは、ホルダー１６に装着された綿棒１５の綿球部１８の周面の傾斜面１８ａに沿う状態で綿球部１８と面接触状に接触している。これにより、傾斜内面２４ａに綿球部１８を接触させたとき、両者の接触面積を増大でき、電気抵抗を小さくすることができるため、電流を綿球部１８へ確実に供給することができ、効果的に肌に電流を供給することができる。端子部２９は綿球用穴２０に形成した同じ傾斜の溝２８（傾斜面２２）に支持されるので、端子部２９の支持が安定し、ひいては、接触端子２４と綿球部１８との接触が安定する。また、綿球用穴２０の傾斜面２２と端子部２９の傾斜内面２９ａとにより、綿球部１８の下周面の傾斜面１８ａがしっかりと支持されて、綿棒１５の支持が安定する。なお、接触端子２４は、図示していないが、接触端子２４に貫通孔を形成し、その貫通孔にヘッド部４のケースに形成した突起を挿通した状態でかしめて固定されている。接触端子２４の傾斜内面２４ａと、ホルダー１６に装着された綿棒１５の綿球部１８の周面の傾斜面１８ａに沿う状態は、たとえ自由状態において綿球部１８の傾斜面１８ａの傾斜と接触端子２４の傾斜内面２４ａの傾斜が合致していなくても、綿球部１８がある程度の柔軟性を有するので、接触端子２４の傾斜内面２４ａに綿棒１５の綿球部１８を強く押し当てた状態で綿棒１５を固定すれば、その状態をつくることができる。
【００２５】
接触端子２４は、制御基板９に設けた肌通電用の制御回路の肌用電極２用のプラス側の出力リード３０に接続してあり、従って肌用電極２（綿棒１５）はプラスの極性となる。一方、後述するグリップ電極３はマイナス側の出力リード３１に接続してあり、従ってグリップ電極３はマイナスの極性となる。グリップ電極３を手で握り、化粧用液を含浸させた肌用電極２（綿棒１５）を肌面にあてがえばイオン導出を行うことができ、肌面の微細な汚れを落とすことができる。また、後述するが、極性を逆に切換えれば、先の出力リード３０がマイナス、他方の出力リード３１がプラスの極性となるので、肌用電極２（綿棒１５）をマイナスの極性にすることができる。これにより化粧用液が含浸された肌用電極２（綿棒１５）を肌面にあてがえばイオン導入を行うことができ、保湿成分を肌に浸透させて美容効果を高めることができる。
【００２６】
グリップ電極３は、銅板を不完全円状の円筒体、つまり断面Ｃ字状に折曲げて形成した電極本体３３と、電極本体３３の外面全体を覆う導電性ゴムで形成した接触層３４とで、無端リング状に構成してある。電極本体３３はマイナス側の出力リード３１を介して肌通電用の制御回路に接続してある。グリップ電極３の上下幅は１〜２ｃｍに設定してあり、図５に示すように、美容器具を鉛筆と同様に握った状態において、親指、人差し指、中指のそれぞれをグリップ電極３に密着できる。導電性ゴム製の接触層３４は、それ自体が指先の滑止めとして機能し、さらに接触層３４に接触する指先の触感を和らげるクッションとしても機能するので、使用状態において本体ケース１を確りと保持できる。肌用電極２とグリップ電極３との間のヘッド部４の端部周面に、凹溝からなる流動阻止部３７を設けた（図１参照）。流動阻止部３７は、綿球部１８に含浸させた美容用液がグリップ電極３へ向かって流動しようとするのを阻止して、肌用電極２とグリップ電極３とが短絡するのを防止する。電極本体３３は、金属板材を打ち抜いて無端リング状に形成することができ、あるいは電鋳法で無端リング状に形成することができる。グリップ電極３は、電極本体３３と、電極本体３３の外面全体を覆う導電性ゴムで形成する必要はなく、導電性ゴムのみや、円筒状の金属のみで構成できる。また、ＡＢＳなどのプラスチックの表面に酸化クロムなどの金属を積層したものであってもよい。また周方向に断続的に形成した導電材によりグリップ電極３を構成することもできる。
【００２７】
美容器具は、以下に説明する要領で使用する。例えば、小鼻の周りの入り隅状の肌面の手入れを行う場合には、綿棒１５をホルダー１６に装填したのち、綿球部１８に美容用液を含浸させ、スイッチノブ１０を上向きにスライド操作してスイッチ１１をオン状態に切換える。この状態で、本体ケース１を図５に示すように握って、利き手の指を接触層３４を介して電極本体３３に導通させ、鏡を見ながら綿球部１８を入り隅状の肌面に沿って繰返し滑らせる。綿球部１８が肌面に密着している状態では、肌用電極２とグリップ電極３とが人体を介して導通し、微弱なパルス電流によってイオン導出作用を発揮する。そのため、入り隅部分や毛穴などに入り込んでいた汚れが、肌用電極２の綿球部１８に吸着される。美容用液を肌面に浸透させる場合には、スイッチノブ１０を下向きにスライド操作してスイッチ１１をオン状態に切換える。このとき図示しない逆極性切換えスイッチが同時にオン操作される。これにより、肌用電極２とグリップ電極３の極性が逆の状態となり、イオン導入を行うことができる。
【００２８】
肌用電極２とグリップ電極３とで電流を供給しながら肌面の美容処理を行なう美容器具において、肌用電極２を本体ケース１の一端に配置し、グリップ電極３を肌用電極２の近傍の本体ケース１の一端寄りに配置したことにより、例えば図５に示す美容器具においては、親指と人差し指と中指をグリップ電極３に密着した状態で、手入れすべき肌面の状況に応じて肌用電極２を自在に移動操作できる。また、グリップを兼ねる本体ケース１を基体にして上下に長い棒状（ペンシル状）に形成していることにより、本体ケース１を鉛筆と同様の握り方で保持できるので、綿球部１８を微妙に操作しながら肌の手入を行なうことができ、とくに小鼻周りの入り隅状の肌面や目尻部分などにおいて綿球部１８を緻密に操作して、汚れの除去や美容用液の浸透を的確に行える。さらに、鉛筆と同様の握り方で本体ケース１を保持するので、綿球部１８の肌面に対する押付け力を、肌面の部位の違いに応じて自在に調整することができる。また、図１０に示す美容器具においては、本体ケース１の球状周面を手のひらにあてがい、親指から小指に至る各指の指先をグリップ電極３に接触させて、手入れすべき肌面の状況に応じて肌用電極２を自在に移動操作できる。従って、本発明の美容器具によれば、入り隅状の肌面や目尻などの細かな部分の美容処理を的確に行なうことができる。
【００２９】
グリップ電極３を肌用電極２の周囲を囲む状態で周回状に設けると、グリップ電極３の任意の位置に指を接触すればよいので、本体ケース１の姿勢や握り位置を気にする必要がなく、従って美容器具の使い勝手を向上できる。
【００３０】
電極本体３３と導電性ゴム製の接触層３４とでグリップ電極３を構成すると、導電性ゴム製の接触層３４が指の滑止めとして機能するので、例えば金属製の電極本体のみでグリップ電極を構成する場合に比べて、グリップ電極３を確実に保持することができる。また、接触層３４は指先の触感を和らげるクッションとしても機能するので、美容器具の使用状態において本体ケース１を確りと保持して、美容器具の肌面に対する押付け力を微妙に調整することができる。
【００３１】
肌用電極２とグリップ電極３の外面を着脱可能な保護キャップ５で覆うようにすると、不使用状態において、塵埃などの異物が両電極２・３に付着するのを防止できるので、美容器具を衛生的な状態で収納し保管できる。
【００３２】
上記構成の美容器具は、以下の態様で実施することができる。
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と面接触して、電流を綿球部１８へ供給する接触端子２４とを含んでいる。
このように、美容用液を含浸する綿棒１５と、綿棒１５を保持するホルダー１６とで肌用電極２を構成すると、美容用液が含浸された綿球部１８を肌面に接触して美容処理を行なえる。従って、小鼻周りの入り隅状の肌面、目尻、唇などにおいて、体積が小さな綿棒１５を緻密に操作して、美容処理を的確に行なうことができる。美容用液を含浸するための含液体として綿棒１５を利用するので、シート状の含液体を棒状に丸めて美容用液を含浸させる場合に比べて、含液体を所定の形状に整形する手間を省くことができる。さらに、肌用電極２に対する装着を簡便に行えるので、美容器具の使い勝手を向上できる。
【００３３】
接触端子２４は、挿通穴１９に対して傾斜する傾斜内面２９ａを有しており、
傾斜内面２４ａは、ホルダー１６に装着された綿棒１５の綿球部１８の周面の傾斜面１８ａに沿う状態で綿球部１８と面接触している。
このように、傾斜内面２４ａに綿球部１８を接触させることにより、両者の接触面積を増大でき、電気抵抗を小さくすることができるため、効果的に肌に電流を供給することができる。また、傾斜内面２９ａは、綿棒１５をホルダー１６に差し込み装着する際の、差し込み案内体として機能する。
【００３４】
挿通穴１９の入口に、傾斜面２２を有する綿球用穴２０が設けられており、
綿球用穴２０に、傾斜内面２９ａを有する接触端子２４が配設されている。
このように、傾斜面２２を有する綿球用穴２０に接触端子２４が配設されていれば、接触端子２４が傾斜面２２を有する綿球用穴２０に沿って固定されるため、接触端子２４の支持が安定する。ひいては接触端子２４と綿球部１８との接触が安定する。これは、接触端子２４が傾斜する板状体の場合、すり鉢状の筒状体の場合、どちらも当てはまることである。また、綿球用穴２０の全周が傾斜面２２を有する構造、すなわち、綿球用穴２０が、挿通穴１９の奥に向かって先すぼまり状のすり鉢状に形成されていれば、接触端子２４が帯状の場合は、綿球用穴２０が綿球部１８の収まりについてよく貢献し、接触端子２４がすり鉢状の筒体の場合は、接触端子２４の支持についてよく貢献する。何れにしても、接触端子２４と綿球部１８との接触が安定する。
【００３５】
接触端子２４に、綿棒１５の軸部１７を保持する軸保持部２３が一体に形成されている。
これにより、ホルダー１６の構造が複雑化するのを解消して、その加工に要する手間を省いてコストを削減できる。
【００３６】
以下に、本発明に係る美容器具の別実施例を列挙するが、個々の別実施例における美容器具については、上記の実施例と異なる部分を主に説明し、上記の実施例と同じ部材には同じ符号を付してその説明を省略する。
【００３７】
（実施例２）図６に示す美容器具においては、肌用電極２とグリップ電極３との間のヘッド部４の周囲に流動阻止部３７を設けた。流動阻止部３７はフランジ状の周回壁で形成してあり、綿球部１８に含浸させた美容用液がグリップ電極３へ向かって流動するのを阻止して、肌用電極２とグリップ電極３とが短絡するのを防止する。また、グリップ電極３を含む本体ケース１を握る手が綿棒１５側へ移動するのを阻止して、その手指が綿棒１５の綿球部１８に接触して肌用電極２とグリップ電極３とが手指を介して短絡するのを防止できる。流動阻止部３７を張出す必要上、ヘッド部４は上端へ向かって先すぼまりテーパー状に形成してある。なお、両電極２・３が美容用液や手指を介して短絡する状態では、イオン導入・導出作用を効果的に発揮できないため、汚れの除去や、美容用液の肌への浸透を行なうことが困難となる。
【００３８】
（実施例３）図７は、ホルダー１６の構造を変更した実施例を示す。そこでは、ホルダー１６の軸保持部２３と接触端子２４のそれぞれを独立した部品で形成して、プラス側出力リード３０を接触端子２４に接続するようにした。この実施例においては、ステンレス、銅、真鍮などの円筒状の金属筒体にプレス加工を施して、端子部２９と、端子部２９の下端に一体で形成される筒部５１とを含む接触端子２４が形成されている。具体的には、挿通穴１９の内奥部に向かって先すぼまり状の内壁（傾斜面２９ａ）を有するすり鉢状の端子部２９とその下方に一体で連続するストレート筒状の筒部５１とから成る接触端子２４が形成されている。つまり、接触端子２４は、ヘッド部４の軸方向に開けられた挿通穴１９に対して傾斜する傾斜内面２９ａを有している。端子部２９は、端子部２９の外壁と同じ傾斜面を有する先すぼまり状の綿球用穴２０に接触した状態で支持されている。したがって、端子部２９が綿球用穴２０にしっかり支持されて、端子部２９の固定が安定する。端子部２９の先すぼまり状の内壁（傾斜面２９ａ）は、綿棒１５の綿球部１８の下部周面と面接触状に接触している。先すぼまり状の内壁（傾斜面２９ａ）を有する端子部２９は、綿棒１５をホルダー１６に装着するとき、綿棒１５の案内用のガイドとなり、装着が容易となる。接触端子２４は、図示していないが、接触端子２４に貫通孔を形成し、その貫通孔にヘッド部４のケースに形成した突起を挿通した状態でかしめて固定されている。上記構成により、端子部２９の内壁（傾斜内面２９ａ）の全周で綿球部１８の周面全周と密着させることができるので、実施例１より広い接触面積を得ることができ、より一層電気抵抗を小さくすることができるため、電流を綿球部１８へ確実に供給することができ、さらに効果的に肌に電流を供給することができる。なお、この実施例における軸保持部２３は、導電性素材で形成する必要はなく、例えば、弾性に富むプラスチック材で形成して、軸部１７を挟持することができる。上述したようにすり鉢状の端子部２９の内壁は、先すぼまり状となっている。先すぼまり状とは、内壁の径が徐々に小さくなる横断面円形或いは多角形の壁形状を意味する。また、綿球用穴２０も先すぼまり状に形成されているが、ここでの先すぼまり状も、綿球用穴２０の内壁の径が徐々に小さくなる断面円形或いは多角形の壁形状を意味する。すり鉢状の端子部２９は、多少内向きに湾曲したラッパ形状も含むものとする。ラッパ形状にすれば、端子部２９の内壁（傾斜内面２９ａ）も、内向きに湾曲した形状となり、その内壁（傾斜内面２９ａ）を綿球部１８に押し付けやすく、綿球部１８の周面と端子部２９の内壁（傾斜内面２９ａ）が密着しやすい。
【００３９】
上記構成の美容器具は以下の態様で実施することができる。
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでおり、
接触端子２４は、挿通穴１９の内奥部に向かって先すぼまりのすり鉢状の端子部２９を有しており、
端子部２９の内壁は、ホルダー１６に装着された綿棒１５の綿球部１８の周面の傾斜面１８ａに沿う状態で綿球部１８と接触していることを特徴とする。
上記構成により、端子部２９の内壁（傾斜内面２９ａ）の全周で綿球部１８の周面全周と密着させることができるので、広い接触面積を得ることができ、電気抵抗を小さくすることができるため、電流を綿球部１８へ確実に供給することができ、効果的に肌に電流を供給することができる。
【００４０】
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでおり、
接触端子２４は、挿通穴１９の内奥部に向かって徐々に径が小さくなる先すぼまり状の内壁（傾斜内面２９ａ）を有する端子部２９を含み、
端子部２９の内壁は、ホルダー１６に装着された綿棒１５の綿球部１８の周面の傾斜面１８ａに沿う状態で綿球部１８と接触していることを特徴とする。
上記構成により、端子部２９の内壁（傾斜内面２９ａ）の全周で綿球部１８の周面全周と密着させることができるので、広い接触面積を得ることができ、電気抵抗を小さくすることができるため、電流を綿球部１８へ確実に供給することができ、効果的に肌に電流を供給することができる。
【００４１】
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでおり、
接触端子２４は、挿通穴１９の内奥部に向かって徐々に径が小さくなる先すぼまり状の内壁（傾斜内面２９ａ）を有する端子部２９を含み、
端子部２９の先すぼまり状の内壁（傾斜面２９ａ）は、綿棒１５の綿球部１８の周面と面接触状に接触していることを特徴とする。
上記構成により、端子部２９の内壁（傾斜内面２９ａ）の全周で綿球部１８の周面全周と密着させることができるので、広い接触面積を得ることができ、電気抵抗を小さくすることができるため、電流を綿球部１８へ確実に供給することができ、効果的に肌に電流を供給することができる。
【００４２】
（実施例４）図８は、ホルダー１６の構造を変更した他の実施例を示す。図８におけるホルダー１６は、図７のホルダー１６と同様に軸保持部２３と接触端子２４のそれぞれを独立した部品で形成した。また、接触端子２４は銅を素材にして、綿球用穴２０に装填されるストレート筒状のベース部４０と、ベース部４０の上端に形成され、傾斜内面２９ａを有する端子部２９と、ベース部４０の下端に形成した４個の先鋭突起５６とで構成した。本実施例の先鋭突起５６は、突端を尖らせた穿刺体４２となっており上向きに尖らせてある。このホルダー１６によれば、綿球部１８に接触する端子部２９と綿球部１８に突き刺さる穿刺体４２とで電流を綿球部１８へ供給できる。
【００４３】
上記したように接触端子２４は、綿球部１８の周面に接触する端子部２９と針状の穿刺体４２とを含んで構成されている。そして穿刺体４２が、ホルダー１６に装着された綿棒１５の綿球部１８の周面に突き刺さった状態で綿球部１８と接触している。このように、穿刺体４２が、ホルダー１６に装着された綿棒１５の綿球部１８の周面に突き刺さった状態で綿球部１８と接触していれば、綿球部１８に突き刺さる穿刺体４２によって電流を綿球部１８に供給でき、綿球部１８に対する通電効率をさらに向上できる。また、綿球部１８に突き刺さる穿刺体４２で綿棒１５を傾動不能に保持できるので、肌面から押付け反力を受けるような場合であっても、綿棒１５をより安定した状態で保持して美容処理を的確に行なえる。なお、綿棒１５の軸部１７を保持する軸保持部２３は、穿刺体４２による保持が安定すれば、省略することができる。つまり穿刺体４２を、軸保持部として機能させてもよい。
【００４４】
（実施例５）図９は、ホルダー１６の構造を変更した他の実施例を示す。ホルダー１６は、実施例１と同様に、挿通穴１９と軸保持部２３と接触端子２４とを含んで構成されている。接触端子２４は銅製であり、リング状のベース部４０と、その上端に一体で形成された４個の先鋭突起５６とを含む。先鋭突起５６は、実施例４と同様に上向きに尖らせてあり、穿刺体４２として構成されている。接触端子２４は、綿球用穴２０の内奥に固定してあり、綿棒１５をホルダー１６に装填した状態において、穿刺体４２が綿球部１８に突き刺さって電流を綿球部１８へ供給する。また、挿通穴１９の、綿球用穴２０より奥の内面の複数個所に、綿棒１５の軸部１７を支持する半球状の突起４３を設けた。この実施例における端子部は、穿刺体４２である。また、軸保持部２３は、突起２３であり、導電性を備えていないプラスチック材で形成してある。実施例４と同様に、軸保持部２３は、穿刺体４２による保持が安定すれば、省略することができる。
【００４５】
（実施例６）図１０は、ホルダー１６の構造を変更した他の実施例を示す。図１０におけるホルダー１６は、実施例１と同様に、挿通穴１９と軸保持部２３と接触端子２４とを含んで構成されている。接触端子２４は銅製であり、リング状のベース部４０と、その上端に一体で形成された８個の先鋭突起５６とを含む。本実施例における先鋭突起５６は、実施例４、５のように、穿刺体で構成されておらず、その突端５６ａから裾野まで鈍角の角度で広がる山形で構成されている。図１０に示すように先鋭突起５６は、山と谷が連続する連続山形となっている。先鋭突起５６の突端５６ａは、挿通穴１９の軸と直交する同一平面上に位置しており、突端５６ａ同士は、周方向に等間隔に配置されている。このリング状の接触端子２４の製造方法としては、銅製の板材にプレス加工を施して、一方の辺に８個の先鋭突起５６を形成した山形形状で、対向する他方の辺が直線状となっている帯状のブランクを形成し、その後、そのブランクに曲げ加工を施すことで、連続山形の先鋭突起５６を有するリング状の接触端子２４を構成している。リング状の接触端子２４は、円形状に曲げ加工される際、その端部同士が密着される方が好ましいが、その端部同士が多少離れているリング形状であってもよい。その他、リング状の接触端子２４は以下の方法で形成できる。円筒状の母型表面に、所望パターンのフォトレジスト膜をパターンニング形成したうえで、フォトレジスト膜で覆われていない母型表面に、ニッケルなどの電着金属を電鋳する。これにより、連続山形の先鋭突起５６を有する無端リング状の接触端子２４を形成できる。なお、先鋭突起５６は、必ずしも連続山形に形成する必要はなく、三角形状の山と直線部を有する谷が交互に並ぶ断続山形の先鋭突起５６であってもよい。また、先鋭突起は８個に限らず、さらに細かい、１０個、１５個或いは２０個以上の山で構成されていてもよい。
【００４６】
上記したように接触端子２４は、筒状のベース部４０と、ベース部４０の一端に形成される先鋭突起５６とを含んでいる。先鋭突起５６の突端５６ａが、ホルダー１６に装着された綿棒１５の綿球部１８の周面に沈み込んだ状態で綿球部１８と接触している。このように、先鋭突起５６の突端５６ａが、ホルダー１６に装着された綿棒１５の綿球部１８の周面に沈み込んだ状態で綿球部１８と接触していれば、先鋭突起５６の突端５６ａと綿球部１８の頂部との距離が近づくことによって、効果的に肌に電流を供給することができる。また、先鋭突起５６の突端５６ａが綿球部１８の周面に沈み込めば、両者の接触面積が増大し、電気抵抗を小さくすることができる。なお、本実施例についても、精鋭突起５６の突端５６ａの角度をさらに鋭くすれば、実施例４、５と同じように綿球部１８に突き刺して電流を供給できる。
【００４７】
上記構成の美容器具は以下の態様で実施することができる。
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでおり、
接触端子２４は、筒状のベース部４０と、ベース部４０の一端に形成される複数の先鋭突起５６とを含んでおり、
先鋭突起５６の突端５６ａが、ホルダー１６に装着された綿棒１５の綿球部１８の周面に沈み込んだ状態で綿球部１８と接触していることを特徴とする。
上記構成により、挿通穴１９に対して綿棒１５をより深く挿入できるため、先鋭突起５６の突端５６ａと綿球部１８の頂部との距離を近づけることができ、効果的に肌に電流を供給することができる。また、先鋭突起５６の突端５６ａが綿球部１８の周面に沈み込めば、両者の接触面積が増大し、電気抵抗を小さくすることができる。
【００４８】
（実施例７）図１１は、ホルダー１６の構造を変更した他の実施例を示す。図１１におけるホルダー１６は、実施例１と同様に、挿通穴１９と軸保持部２３と接触端子２４とを含んで構成されている。軸保持部２３と接触端子２４を一体で形成して、プラス側出力リード３０を接触端子２４に接続するようにした。つまり、この実施例においては、ステンレス、銅、真鍮などの円筒状の金属筒体にプレス加工を施して、端子部２９と、端子部２９の下端に一体で形成される筒部５１とを含む接触端子２４が形成されている。具体的には、挿通穴１９の内奥部に向かって先すぼまり状の内壁（傾斜面２９ａ）を有するすり鉢状の端子部２９とその下方に一体で連続するストレート筒状の筒部５１とから成る接触端子２４が形成されている。つまり、接触端子２４は、ヘッド部４の軸方向に開けられた挿通穴１９に対して傾斜する傾斜内面２９ａを有している。端子部２９の先すぼまり状の内壁（傾斜面２９ａ）は、ホルダー１６に綿棒１５を装着したとき、綿棒１５の綿球部１８の下部周面と面接触状に接触する。端子部２９は、端子部２９の外壁と同じ傾斜面を有する先すぼまり状の綿球用穴２０に接触した状態で支持されている。したがって、端子部２９が綿球用穴２０にしっかり支持されて、端子部２９の固定が安定する。また、先すぼまり状の内壁（傾斜面２９ａ）を有する端子部２９は、綿棒１５をホルダー１６に装着するとき、綿棒１５の案内用のガイドとなり、装着が容易となる。接触端子２４は、図示していないが、接触端子２４に貫通孔を形成し、その貫通孔にヘッド部４のケースに形成した突起を挿通した状態でかしめて固定されている。上記構成により、端子部２９の内壁（傾斜内面２９ａ）の全周で綿球部１８の周面全周と密着させることができるので、実施例１より広い接触面積を得ることができ、より一層電気抵抗を小さくすることができるため、電流を綿球部１８へ確実に供給することができ、さらに効果的に肌に電流を供給することができる。本実施例の筒部５１は、筒部５１自身が軸保持部２３として機能するものである。つまり、筒部５１に軸保持部２３としての嵌合穴５５が形成されている。具体的には、嵌合穴５５の径を、綿棒１５の軸部１７の外径と同じか、それよりも僅かに小さい寸法で形成されており、軸部１７を筒部５１の内壁（嵌合穴５５）にて圧入嵌合できるようにしている。これにより、綿棒１５をホルダー１６に差し込むだけで、ヘッド部４に綿棒１５をしっかり固定できる。しかもホルダー構造１６が簡素化されコスト低減を図ることができる。ストレート筒状の筒部５１は、筒部内径が上端から下端まで同じ寸法で構成される筒体、或いは、軸部１７を筒部５１の内壁に圧入して嵌合できれば、下方に向けて緩やかに径が小さくなる先すぼまり状の筒体で構成されたものであってもよい。接触端子２４は、上記した端子部２９と筒部５１の形状のものをプラスチックで形成したうえで、その表面に酸化クロムなどの金属層を形成したものであってもよい。そのとき筒部５１は、抜きテーパー程度の傾斜を含んで形成される。すり鉢状の端子部２９の内壁は、先すぼまり状となっている。先すぼまり状とは、内壁の径が徐々に小さくなる断面円形或いは多角形の壁形状を意味する。また、綿球用穴２０も先すぼまり状に形成されているが、ここでの先すぼまり状も、綿球用穴２０の内壁の径が徐々に小さくなる横断面円形或いは多角形の壁形状を意味する。すり鉢状の端子部２９は、多少内向きに湾曲したラッパ形状も含むものとする。ラッパ形状にすれば、端子部２９の内壁（傾斜内面２９ａ）も、内向きに湾曲した形状となり、その内壁（傾斜内面２９ａ）を綿球部１８に押し付けやすく、綿球部１８の周面と端子部２９の内壁（傾斜内面２９ａ）が密着しやすい。本実施例におけるグリップ電極３は、円筒状のチタンにより構成されている。
【００４９】
上記構成の美容器具は以下の態様で実施することができる。
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでおり、
接触端子２４は、挿通穴１９の内奥部に向かって先すぼまりのすり鉢状の端子部２９と、端子部２９と一体の筒部５１とを含んでおり、
端子部２９の内壁は、ホルダー１６に装着された綿棒１５の綿球部１８の周面の傾斜面１８ａに沿う状態で綿球部１８と接触しており、
筒部５１の内壁により、綿棒１５の軸部１７を圧入嵌合することを特徴とする。
上記構成により、端子部２９の内壁（傾斜内面２９ａ）の全周で綿球部１８の周面全周と密着させることができるので、広い接触面積を得ることができ、電気抵抗を小さくすることができるため、電流を綿球部１８へ確実に供給することができ、効果的に肌に電流を供給することができる。また、軸保持部２３の構造が簡素化されるのでコスト低減を図ることができる。
【００５０】
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでおり、
接触端子２４は、挿通穴１９の内奥部に向かって徐々に径が小さくなる先すぼまり状の内壁（傾斜内面２９ａ）を有する端子部２９と、端子部２９と一体の筒部５１とを含んでおり、
端子部２９の内壁は、ホルダー１６に装着された綿棒１５の綿球部１８の周面の傾斜面１８ａに沿う状態で綿球部１８と接触しており、
筒部５１の内壁により、綿棒１５の軸部１７を圧入嵌合することを特徴とする。
上記構成により、端子部２９の内壁（傾斜内面２９ａ）の全周で綿球部１８の周面全周と密着させることができるので、広い接触面積を得ることができ、電気抵抗を小さくすることができるため、電流を綿球部１８へ確実に供給することができ、効果的に肌に電流を供給することができる。また、軸保持部２３の構造が簡素化されるのでコスト低減を図ることができる。
【００５１】
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでおり、
接触端子２４は、挿通穴１９の内奥部に向かって徐々に径が小さくなる先すぼまり状の内壁（傾斜内面２９ａ）を有する端子部２９と、端子部２９と一体の筒部５１とを含んでおり、
端子部２９の先すぼまり状の内壁（傾斜面２９ａ）は、ホルダー１６に綿棒１５を装着したとき、綿棒１５の綿球部１８の周面と面接触状に接触しており、
筒部５１の内壁により、綿棒１５の軸部１７を圧入嵌合することを特徴とする。
上記構成により、端子部２９の内壁（傾斜内面２９ａ）の全周で綿球部１８の周面全周と密着させることができるので、広い接触面積を得ることができ、電気抵抗を小さくすることができるため、電流を綿球部１８へ確実に供給することができ、効果的に肌に電流を供給することができる。また、軸保持部２３の構造が簡素化されるのでコスト低減を図ることができる。
【００５２】
（実施例８）図１２は、ホルダー１６の構造を変更した他の実施例を示す。図１２におけるホルダー１６は、実施例１と同様に、挿通穴１９と軸保持部２３と接触端子２４とを含んで構成されている。軸保持部２３と接触端子２４を一体で形成して、プラス側出力リード３０を接触端子２４に接続するようにした。具体的には、接触端子２４は、導電性ゴムからなる有底筒状の筒体で構成されている。筒体の上部は、挿通穴１９の内奥部に向かって先すぼまり状の内壁（傾斜内面２９ａ）を有する端子部２９となっており、端子部２９に連続する筒体の下部は筒部５１となっている。つまり、接触端子２４は、ヘッド部４の軸方向に開けられた挿通穴１９に対して傾斜する傾斜内面２９ａを有している。端子部２９の先すぼまり状の内壁（傾斜面２９ａ）は、ホルダー１６に綿棒１５を装着したとき、綿棒１５の綿球部１８の下部周面と面接触状に接触する。先すぼまり状の内壁（傾斜面２９ａ）を有する端子部２９は、綿棒１５をホルダー１６に装着するとき、綿棒１５の案内用のガイドとなり、装着が容易となる。筒部５１には、軸保持部２３としての内壁（嵌合穴５５）が形成されている。筒部５１の内壁（嵌合穴５５）に綿棒１５の軸部１７を圧入嵌合することで、ヘッド部４に綿棒１５を固定することができる。本実施例では、実施例６と異なり、接触端子２４をゴム材で形成しているので、その弾性により、軸部１７の径の大小を問わず、しっかりと軸部１７を支持できる。したがって、綿棒１５をホルダー１６に差し込むだけで、しっかり固定できる。しかもホルダー構造１６が簡素化されコスト低減を図ることができる。嵌合穴５５は、内径が上端から下端まで同じ寸法で構成される、或いは、下方に向けて緩やかに径が小さくなる先すぼまり状の筒体で構成されたものであってもよい。上述したように端子部２９の内壁は、先すぼまり状となっている。先すぼまり状とは、内壁の径が徐々に小さくなる横断面円形或いは多角形の壁形状を意味する。本実施例における綿球用穴２０は横断面円形或いは多角形のストレート状となっている。
【００５３】
上記構成の美容器具は以下の態様で実施することができる。
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでおり、
接触端子２４は、導電ゴム製であり、挿通穴１９の内奥部に向かって先すぼまり状の内壁（傾斜面２９ａ）を有する端子部２９と、端子部２９と一体の筒部５１とを含んでおり、
端子部２９の内壁は、ホルダー１６に装着された綿棒１５の綿球部１８の周面の傾斜面１８ａに沿う状態で綿球部１８と接触しており、
筒部５１の内壁により、綿棒１５の軸部１７を圧入嵌合することを特徴とする。
上記構成により、端子部２９の内壁（傾斜内面２９ａ）の全周で綿球部１８の周面全周と密着させることができるので、広い接触面積を得ることができ、電気抵抗を小さくすることができるため、電流を綿球部１８へ確実に供給することができ、効果的に肌に電流を供給することができる。また、軸保持部２３の構造が簡素化されるのでコスト低減を図ることができる。
【００５４】
上記構成の美容器具は以下の態様で実施することができる。
本体ケース１に肌用電極２とグリップ電極３とが設けられており、肌用電極２とグリップ電極３とで肌面に電流を供給する美容器具であって、
肌用電極２が、美容用液を含浸する綿棒１５と、綿棒１５を保持するホルダー１６とで構成されており、
ホルダー１６は、綿棒１５の軸部１７を受け入れる挿通穴１９と、挿通穴１９の入口に設けられ、綿棒１５の綿球部１８の周面と接触して、電流を綿球部１８へ供給する接触端子２４とを含んでおり、
接触端子２４は、導電ゴム製であり、挿通穴１９の内奥部に向かって先すぼまり状の内壁（傾斜面２９ａ）を有する端子部２９と、端子部２９と一体の筒部５１とを含んでおり、
端子部２９の先すぼまり状の内壁（傾斜面２９ａ）は、ホルダー１６に綿棒１５を装着したとき、綿棒１５の綿球部１８の下部周面と面接触状に接触しており、
筒部５１の内壁により、綿棒１５の軸部１７を圧入嵌合することを特徴とする。
上記構成により、端子部２９の内壁（傾斜内面２９ａ）の全周で綿球部１８の周面全周と密着させることができるので、広い接触面積を得ることができ、電気抵抗を小さくすることができるため、電流を綿球部１８へ確実に供給することができ、効果的に肌に電流を供給することができる。また、軸保持部２３の構造が簡素化されるのでコスト低減を図ることができる。
【００５５】
（実施例９）図１３および図１４は、ホルダー１６の構造を変更した他の実施例を示す。軸保持部２３は、保持ベース６１と、拡縮変位できる３個の保持要素６２と、綿球用穴２０の開口内面に設けたカム面６３と、保持ベース６１をスライド操作するスライドノブ６４と、保持ベース６１を押下げ付勢する圧縮コイル形のばね６５とで構成する。保持ベース６１は円盤状に形成されて、その周面にスライドノブ６４が一体化してあり、綿球用穴２０に案内されて上下にスライドできる。保持要素６２は、銅板あるいはアルミニウム板を素材とするプレス成形品からなり、縦長の腕６６と、腕６６の上端に形成される斜めの端子部２９（接触端子２４）と、綿棒１５に突き刺さる保持爪６７とを一体に備えている。保持要素６２は、それぞれ腕６６の下端が保持ベース６１に設けたピン６８で支持されて、本体ケースの径方向の内外へ拡縮変位できる。保持爪６７は、綿球部１８の下端部の周面に突き刺さる。
【００５６】
（実施例１０）図１３（ｂ）に示すように、ばね６５の付勢力に抗してスライドノブ６４を押上げ操作すると、３個の保持要素６２がヘッド部４の上方へ進出する。進出状態に切換わった３個の保持要素６２は、カム面６３による拘束が解除されるため、拡開操作して開放姿勢にすることができ、これに伴い保持爪６７を綿棒１５から分離して、綿棒１５をホルダー１６から取外すことができる。新たな綿棒１５の軸部１７を各保持要素６２の中央に差込んだのち、ばね６５の付勢力でスライドノブ６４を下降させると、各保持要素６２の腕６６がカム面６３に押されて縮小する向きに変位するので、図１３（ａ）に示すように、保持爪６７は再び綿棒１５に突き刺さる。保持要素６２の全体が挿通穴１９の内部に退入して保持姿勢に切換わった状態では、端子部２９（接触端子２４）がカム面６３に密着して綿球部１８の下周面を面接触状に受止めている。従って、保持要素６２の少なくともひとつに、電流調整回路の肌用電極２用の出力リード３０を接続しておくことにより、綿棒１５に電流を供給できる。
【００５７】
図１５〜図１８は、いずれもホルダー１６の別実施例を示しており、とくにホルダー１６の軸保持部２３の構造を変更する点が先の実施例と異なる。接触端子２４は、端子部２９と、端子部２９の下端に一体で形成される筒部５１とで筒状に構成してある。
【００５８】
（実施例１１）図１５に示すホルダー１６の軸保持部２３は、固定挟持体７１と、同挟持体７１に向かって接離揺動する可動挟持体７２と、可動挟持体７２を接近付勢するばね７３と、ばね７３の付勢力に抗して可動挟持体７２を開放操作する操作具７４などで構成する。可動挟持体７２はピン７５で揺動自在に支持してあり、ピン７５より下側の受動片７６を操作具７４で押込み操作することにより、可動挟持体７２を開放操作して綿棒１５の軸部１７を軸保持部２３に着脱できる。固定挟持体７１および可動挟持体７２の対向面には、それぞれ鋸刃状の滑止め７７が形成してある。
【００５９】
（実施例１２）図１６に示す軸保持部２３は、基本的に図１５で説明した軸保持部２３と同じであるが、可動挟持体７２の下端から受動片７６を横向きに突設する点と、受動片７６を上下にスライドする操作具７４で押下げ揺動して、可動挟持体７２を開放操作する点が異なる。他は図１７の軸保持部２３と同じであるので、同じ部材に同じ符号を付してその説明を省略する。以下の実施例においても同じとする。
【００６０】
（実施例１３）図１７に示す軸保持部２３は、その可動挟持体７２の構造が図１５で説明した軸保持部２３と異なる。可動挟持体７２には操作レバー（操作具）７４が一体に設けてあり、操作レバー７４を押上げて可動挟持体７２をピン７５の回りに回転させることにより、綿棒１５の軸部１７を固定挟持体７１と可動挟持体７２とで挟持固定できるようにした。
【００６１】
（実施例１４）図１８に示す軸保持部２３は、ヘッド部４で横スライド自在に支持したロック体７８と、ロック体７８をロック付勢するばね７３と、ロック体７８の上下に突設された２個の突起７９と、ロック体７８と一体に設けた操作具７４とで構成した。ロック体７８にはロック穴８０が上下に貫通形成してある。操作具７４をばね７３に抗して押込んだ状態で、ロック穴８０に綿棒１５の軸部１７を差込み、操作具７４の押込み力を解放すると、軸部１７がばね７３の付勢力で突起７９の側へ引寄せられるので、ロック穴８０の一端と突起７９とで軸部１７を挟持固定することができる。
【００６２】
流動阻止部３７は溝または凹部で形成することができ、あるいは美容用液を含浸できるスポンジ、フェルトなどをヘッド部４に固定して流動阻止部３７とすることができる。美容器具は、イオン導入機能とイオン導出機能を備えていることが好ましいが、イオン導入機能だけ、あるいはイオン導出機能だけを備えている、単機能の仕様であってもよい。上記実施例では、肌用電極２を本体ケース１の一端に配置し、グリップ電極３を肌用電極２の近傍の本体ケース１の一端寄りに配置したが、必ずしもその必要はなく、グリップ電極３を本体ケース１の中央や他端側に寄せて配置してもよい。或いは、本体ケース１の一端寄りから他端にかけて長い棒状のグリップ電極３であってもよい。
【符号の説明】
【００６３】
１  本体ケース
２  肌用電極
３  グリップ電極
４  ヘッド部
１５  綿棒（含液体）
１６  ホルダー
１７  軸部
１８  綿球部
２４  接触端子
【図１】
0005781391.tif 000002
【図２】
0005781391.tif 000003
【図３】
0005781391.tif 000004
【図４】
0005781391.tif 000005
【図５】
0005781391.tif 000006
【図６】
0005781391.tif 000007
【図７】
0005781391.tif 000008
【図８】
0005781391.tif 000009
【図９】
0005781391.tif 000010
【図１０】
0005781391.tif 000011
【図１１】
0005781391.tif 000012
【図１２】
0005781391.tif 000013
【図１３】
0005781391.tif 000014
【図１４】
0005781391.tif 000015
【図１５】
0005781391.tif 000016
【図１６】
0005781391.tif 000017
【図１７】
0005781391.tif 000018
【図１８】
0005781391.tif 000019